(57)【特許請求の範囲】
【請求項１】
天板の上部に前後に延在するダクトが形成され、該ダクトの後方には、該ダクトに連通されて下方へ延在し支柱として機能する、患者の足もと側となる第一のボックスが設けられ、前記ダクトの前方には、該ダクトに連通されると共に、患者の頭部側となる第二のボックスが設けられ、該第二のボックスの幅方向両側には下方へ延在し支柱として機能する側板が固設され、しかも、左右両側のうち少なくとも一方が開放された枠体と、
該枠体の開放部を塞ぎ得るよう開閉自在に設けられた透明樹脂製のカーテンを備え、
前記枠体及びカーテンにより包囲される内部空間により無菌室が形成されるようにした無菌室ユニットであって、
前記第二のボックスには、無菌室内に位置すると共に、患者の顔面に対する到達流速が遅くなるよう患者の頭部側に空気を吹出す複数の空気吹出し口が形成された空気吹出しダクトが、左右の側板間でしかも天板の直下に配置されて、連通され、
前記第一のボックス及びダクト並びに第二のボックスにより、第一のボックスの下端から吸込まれた無菌室内からの空気を上昇させ、前方へ向けて前記空気吹出しダクトまで送給する空気流通路が形成され、
該空気流通路の内部には、空気を清浄にするための空気清浄化装置が配置されていることを特徴とする無菌室ユニット。
【請求項２】
枠体における患者の頭側となる側には、当該枠体の前面を病室の壁に当接させた際に、該壁に取り付けられたメディカルコンソールが無菌室内に位置し得るよう開口が形成されている請求項１に記載の無菌室ユニット。
【請求項３】
空気吹出しダクトの断面形状は、略１／４円型である請求項１又は２に記載の無菌室ユニット。
【請求項４】
少なくとも空気清浄化装置のファンを、空気流通路における患者の足もと側となる側に配設した請求項１乃至３の何れかに記載の無菌室ユニット。
【請求項５】
第一のボックスの幅は、天板及び第二のボックスの幅よりも狭く、且つ、枠体に吊設されたカーテンを開くと、天板に沿った開放部の長さがダクトの前後方向の長さよりも長くなるよう形成された請求項１乃至４の何れかに記載の無菌室ユニット。
【請求項６】
空気清浄化装置は、空気流通路を流通する空気中の塵埃を除去する塵埃除去手段と、前記空気中の悪臭物質を除去する悪臭物質除去手段と、粒子と共に捕捉した菌を死滅させる殺菌手段を備えている請求項１乃至５の何れかに記載の無菌室ユニット。
【請求項７】
カーテンを開いたらカーテンスイッチがオンになって空気清浄化装置のファンの風量及び／又は風速が増加し、カーテンを閉止するとカーテンスイッチがオフになって一定時間経過後、前記ファンの風量及び／又は風速が減少するよう構成した請求項１乃至６の何れかに記載の無菌室ユニット。
【請求項８】
空気清浄化装置のファンが複数台ありそのうち、少なくとも１台がカーテンスイッチによって発停されるよう構成した請求項７に記載の無菌室ユニット。
【発明の詳細な説明】
【０００１】
【発明の属する技術分野】
本発明は無菌室ユニットに関するものである。
【０００２】
【従来の技術】
例えば、免疫力の低下した患者は、病院において２〜３週間の間、内部を無菌に保たれた居住空間（無菌室）に滞在して治療を受ける必要がある。而して、内部を無菌に保たれた治療用の居住空間としては、無菌室ユニットがある。
【０００３】
従来の、無菌室ユニットの一例は図４に示されている。図４中、ａは無菌室ユニットの枠体であり、枠体ａは、内部にファンユニットが収納されたボックスｂと、ボックスｂの左右上端部に取付けられて後方へ水平に延在するよう設けられた梁ｃと、梁ｃの後端で左右の梁ｃを接続するよう設けられた梁ｄと、梁ｃの長手方向中間部で左右の梁ｃを接続するよう、梁ｄと平行に設けられた梁ｅと、梁ｃの後端に立設された支柱ｆとにより構成されている。
【０００４】
又、枠体ａの上部には天板（図示せず）が設置されており、枠体ａのボックスｂ側を除いた三方向には、開閉可能に透明ビニール製のカーテンｇが設けられている。而して、無菌室ユニットの内部には、枠体ａのボックスｂ、天板、カーテンｇにより仕切られて無菌室ｈが形成されており、無菌室ｈ内には、ベッドｉを置けるようになっている。
【０００５】
ボックスｂの一側面には、空気取入れ口ｊが設けられており、空気取入れ口ｊからボックスｂ内に取込まれた空気ｋは、ボックスｂ内に設置したファンユニットにより塵埃を除去されるようになっている。又、ボックスｂの無菌室ｈに面した前面には、清浄な空気をベッドｉに横臥している患者の頭側に吹出し得るよう、空気吹出し口ｌが設けられている。
【０００６】
空気取入れ口ｊからボックスｂに取込まれた空気ｋは、ファンユニットにより塵埃を除去され、清浄になった空気ｋは空気吹出し口ｌから無菌室ｈ内に吹込まれ、吹込まれた空気は、患者の頭側から足もと側へ流れ、無菌室ｈ内は無菌状態に保持される。
【０００７】
空気吹出し口ｌから無菌室ｈ内に吹込まれる清浄な空気ｋの流量の調整は手元スイッチで行われ、患者の治療は、ヘッドポート、グローブボックスにより、無菌室ユニットの外部から行われる。
【０００８】
【発明が解決しようとする課題】
しかしながら、上述の無菌室ユニットには、以下に述べるような問題がある。
ｉ）ファンユニットは患者の頭側に設けたボックスｂ内に収納されているため、ファン、空気吹出し口ｌ等の騒音源が患者の頭に近く、従って患者にとって安楽なものとはいえない。
ｉｉ）ボックスｂの無菌室ｈに面した前面やカーテンｇは無機質で患者の居住性に配慮がなされていない。
ｉｉｉ）空気ｋは常時外部から取込むため、ファンユニットの各フィルタやＨＥＰＡフィルタの汚れが早く、従って、フィルタ類を頻繁に交換しなければならず、コスト高を招来する虞がある。
ｉｖ）無菌室ｈ内へ人が出入りしたり物資を搬入、搬出する際には、カーテンｇを開閉するために、スイッチを切換えて空気吹出し口ｌからの風量を増加させ或は減少させなければならないが、スイッチの切換えを忘れることも考えられる。
ｖ）無菌室ｈ内のスペースが狭く、患者に圧迫感を与える。
ｖｉ）患者の頭側はボックスｂで仕切られているため、病室の壁に取付けられているメディカルコンソールを使用することができない。
ｖｉｉ）患者の足もと側となる側の幅方向両側には柱が立設されているため、無菌室ｈに対するベッドｉの出し入れがやり難いうえ患者の足もと側の視界も良くない。
【０００９】
本発明は、斯かる実情に鑑み、患者にとっ不快感がなく安楽で居住性が良く、且つ操作性が良好で、コストも安価であり、しかも、無菌室のスペースが広くて圧迫感が少なく、更には、患者が病室のメディカルコンソールを使用でき、更に又、ベッドの出し入れや患者の足もと側の視界が良好となるようにした無菌室ユニットを提供することを目的としてなしたものである。
【００１０】
【課題を解決するための手段】
請求項１の発明は、
天板の上部に前後に延在するダクトが形成され、該ダクトの後方には、該ダクトに連通されて下方へ延在し支柱として機能する、患者の足もと側となる第一のボックスが設けられ、前記ダクトの前方には、該ダクトに連通されると共に、患者の頭部側となる第二のボックスが設けられ、該第二のボックスの幅方向両側には下方へ延在し支柱として機能する側板が固設され、しかも、左右両側のうち少なくとも一方が開放された枠体と、
該枠体の開放部を塞ぎ得るよう開閉自在に設けられた透明樹脂製のカーテンを備え、
前記枠体及びカーテンにより包囲される内部空間により無菌室が形成されるようにした無菌室ユニットであって、
前記第二のボックスには、無菌室内に位置すると共に、患者の顔面に対する到達流速が遅くなるよう患者の頭部側に空気を吹出す複数の空気吹出し口が形成された空気吹出しダクトが、左右の側板間でしかも天板の直下に配置されて、連通され、
前記第一のボックス及びダクト並びに第二のボックスにより、第一のボックスの下端から吸込まれた無菌室内からの空気を上昇させ、前方へ向けて前記空気吹出しダクトまで送給する空気流通路が形成され、
該空気流通路の内部には、空気を清浄にするための空気清浄化装置が配置されているものである。
【００１１】
請求項２の発明においては、枠体における患者の頭側となる側には、当該枠体の前面を病室の壁に当接させた際に、該壁に取り付けられたメディカルコンソールが無菌室内に位置し得るよう開口が形成されている。
【００１２】
請求項３の発明においては、空気吹出しダクトの断面形状は、略１／４円型である。
【００１３】
請求項４の発明は、少なくとも空気清浄化装置のファンを、空気流通路における患者の足もと側となる側に配設したものである。
【００１４】
請求項５の発明においては、第一のボックスの幅は、天板及び第二のボックスの幅よりも狭く、且つ、枠体に吊設されたカーテンを開くと、天板に沿った開放部の長さがダクトの前後方向の長さよりも長くなるよう形成されている。
【００１５】
請求項６の発明においては、空気清浄化装置は、空気流通路を流通する空気中の塵埃を除去する塵埃除去手段と、前記空気中の悪臭物質を除去する悪臭物質除去手段と、粒子と共に捕捉した菌を死滅させる殺菌手段を備えている。
【００１６】
請求項７の発明に置いては、カーテンを開いたらカーテンスイッチがオンになって空気清浄化装置のファンの風量及び／又は風速が増加し、カーテンを閉止するとカーテンスイッチがオフになって一定時間経過後、前記ファンの風量及び／又は風速が減少するよう構成したものである。
【００１７】
請求項８の発明においては、空気清浄化装置のファンが複数台あり、そのうち少なくとも１台がカーテンスイッチによって発停されるよう構成されている。
【００２０】
本発明の無菌室ユニットは、使用時には枠体における患者の頭側となる前面を病室の壁に密着させる。このため、病室の壁に取付けられているメディカルコンソールは無菌室内に位置する。
【００２１】
枠体における患者の足もと側から空気流通路に導入された空気は、空気清浄化装置により清浄化されて空気吹出しダクトに送給され、空気吹出しダクトの空気吹出し口から無菌室内に吹込まれる。このため、無菌室内は無菌状態に保持される。又、カーテンを開いた際には、ファンの風量が増加するため、無菌室内は確実に無菌状態を保持することができる。
【００２２】
本発明では、騒音源となるファンは患者の足もと側に設けてあるため静かであり、従って患者は騒音が気にならず、安楽に無菌室内で治療に専念することができる。
【００２３】
又、空気吹出しダクトの空気吹出し口から吹出された空気の患者の顔面への到達流速は遅くなるため、患者に不快感を与える虞がない。
【００２５】
更に、各フィルタの使用できる期間が長くなり、従って、フィルタ類の交換頻度が減少してコストダウンを図ることができる。
【００２６】
更に又、カーテンを開閉する場合には、ファンから吹出される風量及び／又は風速を調整できるため、装置の無菌性能に対する信頼度が向上する。
【００２７】
又、無菌室のスペースを広く取ることにより、無菌室の内部に治療スペースを確保できるうえ患者に安心感を与えることができる。
【００２８】
更に、患者がナースに連絡を取る場合には、無菌室内からメディカルコンソールを利用することができる。
【００２９】
更に又、患者の足もと側の左右に柱がないため、ベッドの出し入れがやり易く視界が良好である。
【００３０】
【発明の実施の形態】
以下、本発明の実施の形態を図示例と共に説明する。
図１〜図３は本発明の無菌室ユニットを実施する形態の一例であって、図１は本発明の無菌室ユニットを示す全体斜視図、図２は図１のＩＩ−ＩＩ方向矢視図、図３はカーテンを開閉した際にファンの風量を増減するための電気回路図である。
【００３１】
図１、２中、１は無菌室ユニットの枠体であり、枠体１は、前方の支柱として機能するよう立設された左右一対の側板２と、左右の側板２，２を接続するよう、側板２の前方上端部に取付けられたパネル３と、左右の側板２，２を接続するよう、側板２の前方下端部にパネル３に対して間隔を置いて取付けられたパネル４と、後方の支柱として機能するよう、後方から見て前方の左右の側板２，２間の中間部に位置すべく立設された、側板２，２間の間隔よりも幅の狭いボックス５と、一端を側板２の上端に接続されてボックス５側に水平に延在し、他端をボックス５の上端部近傍に接続された、左右の側板２，２間の間隔と略同一幅の天板６と、側板２側において天板６の上面に接続された、左右の側板２，２間の間隔と略同一幅で同一長さのボックス７と、幅がボックス５の幅と略同一に形成されると共に一端がボックス５の上端部に接続され他端がボックス７の後側部に接続され、しかも下端が天板６の上面に接続されるよう、前後方向へ水平に延在するダクト８とを備えている。而して、パネル３とパネル４との間には、開口９が形成されている。
【００３２】
枠体１においては、例えば、ダクト８と天板６とが接続される隅部イ、ボックス７と天板６とが接続される隅部ロには、丸面が形成されており隅部イ、ロには塵埃が溜まらないようになっている（図１参照）。
【００３３】
枠体１のボックス５は、空気流通路として機能し得るよう、下端開口部から導入された空気が上方へ向けて内部を流通し得るようになっており、又、ダクト８では、天板６の一部と協働して空気流通路が形成されると共に、ボックス５からの空気はダクト８の内部を流通し得るようになっており、更に、ボックス７では、天板６の一部と協働して空気流通路が形成されると共に、ダクト８からの空気はボックス７内を流通し得るようになっている。
【００３４】
ボックス５内には、空気の流れ方向上流側から下流側に向けて、すなわち、下方から上方へ向けてプレフィルタ１０、光触媒フィルタ１１、紫外線ランプである触媒励起用ランプ１２、中性能フィルタ１３、例えば２台（図２では１台のみ示す）のファン１４が収納されており、ボックス７内にはＨＥＰＡフィルタ１５が収納されている。而して、プレフィルタ１０、光触媒フィルタ１１、触媒励起用ランプ１２、中性能フィルタ１３、ファン１４によりファンユニット１６が形成され、ファンユニット１６とＨＥＰＡフィルタ１５により空気清浄化装置が形成されている。
【００３５】
プレフィルタ１０、中性能フィルタ１３、ＨＥＰＡフィルタ１５は塵埃除去手段として機能し得るようになっており、光触媒フィルタ１１、触媒励起用ランプ１２は悪臭物質除去手段として機能し得るようになっており、触媒励起用ランプ１２、中性能フィルタ１３は殺菌手段として機能し得るようになっている。
【００３６】
天板６のＨＥＰＡフィルタ１５下部には、空気流通孔１７が形成されていると共に、天板６の下面とパネル３により包囲される空間部には、複数の空気吹出し口１８を備えた、断面形状が略１／４円型の空気吹出しダクト１９が、左右の側板２，２間でしかも天板６の天井部直下に位置するよう、取付けられている。
【００３７】
側板２の後端部（側板２のパネル３，４を設けた側とは反対の側）とボックス５の左右側部との間には、天板６の外縁部に沿ってカーテンレール（図示せず）が取付けられ、カーテンレールには、透明ビニール製のカーテン２０が開閉自在に取付けられている。而して、枠体１とカーテン２０により包囲された内部空間により、無菌室２１が形成されている。カーテン２０には、抗菌性インクにより、花柄や動物の絵が印刷されている。
【００３８】
枠体１の所定位置には、後述するようにカーテンスイッチ３１が取付けられており、カーテン２０が閉止されている場合には、１台のファン１４が運転されるが、カーテン２０を図１が矢印ハ方向へ開いた場合には、カーテンスイッチ３１がオンになって２台のファン１４が同時運転され、風量、風速を増加し得るようになっている。又、カーテン２０を閉じた場合には、カーテンスイッチ３１がオフになってカーテン２０の閉止後一定の時間（数分）を経過後に、運転されている２台のファン１４うち１台のファン１４が停止し、ファン１４の風量、風速を減少させ得るようになっている。
【００３９】
図２中、２２は空気吹出しダクト１９の下部に位置するよう、パネル３の内側に取付けられた照明、２３はボックス５の無菌室２１に向いた面に取付けられた、難燃性ボード或は難燃性クロスで形成された絵或は薄型の壁掛けテレビ等のパネル（癒しのパネル）、２４は無菌室２１内に配置されたベッド、２５は病室の壁２６に取付けられたメディカルコンソールである。パネル２３が絵の場合には、抗菌性インクにより花柄や動物の絵が印刷されている。
【００４０】
図３には２台のファン１４を切換え運転する場合の電気回路図が示されている。図中、２７は電源、２８は運転スイッチ、２９は２台のファン１４のうちの一方のファン１４を駆動するためのファンモータ、３０は２台のファン１４のうちの他方のファンを駆動するためのファンモータ、３１はカーテンスイッチ、３２はタイマである。カーテンスイッチ３１は図１に示すように、患者の頭側となる側板２の内側上部に取付けられている。
【００４１】
次に、上記図示例の作動を説明する。
本図示例の無菌室ユニットは、使用に際しパネル３，４の外側前面が病室の壁２６に密着するよう設置する。パネル３，４の外側前面には、気密性の良好なシール材を貼着しておくことにより、開口９から外の清浄化されていない空気が入ってきたり、無菌室２１内の清浄な空気が外部へ漏洩することが防止される。又、開口９を通してメディカルコンソール２５は無菌室２１内に位置する。
【００４２】
無菌室ユニットに人が出入りしたり物資を搬入、搬出する必要がない場合には、通常はカーテン２０は閉止されている。而して、この場合には、図３の運転スイッチ２８がオンにされているためファンユニット１６の２台のファン１４のうち、ファンモータ２９により駆動されるファン１４が運転されており、又、触媒励起用ランプ１２は点灯している。従って、空気は駆動されている１台のファン１４によりボックス５の下端からボックス５内に導入され、空気に同伴されている粗大な塵埃は、プレフィルタ１０を通過する際にプレフィルタ１０により捕捉され、除去される。なお、ボックス５内に導入される空気は、多くは無菌室２１内の空気であり、無菌室２１から外部へ漏洩した分の空気は外部から導入される。
【００４３】
又、プレフィルタ１０を通過した空気は、ボックス５内を上昇し、触媒励起用ランプ１２により照射される紫外線によって光触媒物質が励起されている光触媒フィルタ１１を通過する。従って、空気中の悪臭物質は光触媒フィルタ１１に接触又は付着して二酸化炭素と水等の無機ガス成分に分解され、空気は清浄化される。更に、中性能フィルタ１３に粒子と共に捕捉された菌は触媒励起用ランプ１２の紫外線によって殺菌される。
【００４４】
清浄化された空気は、ファン１４から吐出されてボックス５及びダクト８を通りボックス７に導入され、ボックス７内で広がってＨＥＰＡフィルタ１５を通り、空気流通孔１７から空気吹出しダクト１９へ送給される。空気中の微細な塵埃は、ＨＥＰＡフィルタ１５により除去されるため、空気は完全に清浄化される。而して、清浄化された空気は、複数の空気吹出し口１８から無菌室２１内に吹込まれ、患者の頭側から足もと側へ図２の線ニに示すように斜め下方へ向け流れて、無菌室２１内を無菌状態に保持し、再びボックス５の下端からボックス５内へ導入される。
【００４５】
人が無菌室２１の内部に入ったり物資を無菌室２１内に搬入する場合には、カーテン２０が開かれる。そうすると、カーテンスイッチ３１が図３のｙ側に切換わってオンになり、ファンモータ３０が駆動される。このため停止していたもう１台のファン１４も運転されるため、空気吹出しダクト１９から無菌室２１内に吹込まれる空気の風量、風速が増加する。従って、カーテン２０を開いても無菌室２１内は確実に無菌状態を保持することができる。なお、カーテン２０を開いた際にはタイマ３２は作動可能にリセットされる。
【００４６】
カーテン２０が閉止されると、カーテンスイッチ３１が図３のタイマ３２のあるｘ側に切換わってオフになるが、タイマ３２が作動しているため、ファンモータ３０も作動しファンは２台とも作動している。しかし、一定時間経過後には、タイマ３２がタイムアップし、ファンモータ３０が停止する。このため、２台のファン１４のうち１台のファンが停止し、無菌室２１内に吹込まれる空気の風量及び風速はもとの状態に戻る。
【００４７】
その後再びカーテン２０を開くとファンモータ３０によりファン１４が駆動され、タイマ３２がリセットされる。又、運転スイッチ２８をオフにした場合には、ファンモータ２９，３０は停止して２台のファン１４は何れも停止するが、この場合にもタイマ３２はリセットされる。
【００４８】
患者がナースに連絡を取る場合には、病室の壁２６から開口９を通り無菌室２１内へ位置しているメディカルコンソール２５を利用することができる。
【００４９】
騒音源となるファンユニット１６のファン１４は患者の足もと側に設けてあるため、静かで患者は騒音が気にならず、安楽に無菌室２１内で治療に専念することができる。
【００５０】
又、空気吹出しダクト１９の空気吹出し口１８から吹出された空気の患者の顔面への到達流速は遅くなるため、患者に不快感を与える虞がない。
【００５１】
カーテン２０には、花柄や動物の絵が印刷されており、パネル２３にも花柄や動物の絵が印刷されているか、或はパネル２３が薄型の壁掛けテレビとなっているため、患者の気持ちを和ませ、無菌室２１の居住性が良好である。
【００５２】
空気は主として循環使用されるため、プレフィルタ１０、光触媒フィルタ１１、ＨＥＰＡフィルタ１５の使用できる期間が長くなり、従って、フィルタ類の交換頻度が減少してコストダウンを図ることができる。
【００５３】
カーテン２０を開閉する場合には、カーテンスイッチ３１を設けておくことにより、自動的にファン１４の運転台数、すなわち、ファン１４から吹出される風量、風速を調整できるため、無菌室ユニットの無菌性能に対する信頼度が向上する。
【００５４】
又無菌室２１のスペースを広く取ることにより、無菌室２１の内部に治療スペースを確保できるうえ患者に安心感を与えることができる。
【００５５】
患者の足もと側の幅方向両側には柱がないため、ベッド２４の出し入れがやり易く視界が良好である。
【００５６】
なお、本発明の無菌室ユニットにおいては、プレフィルタ、光触媒フィルタ、触媒励起用ランプ、中性能フィルタを患者の足もと側となる側に設置した縦型のボックス内に設け、ＨＥＰＡフィルタを患者の頭側となる側に設置したボックス内に設ける場合について説明したが、空気流通路内なら決まった配列で設置する限りどこへいくつ設けても実施できること、ファンは２台設ける場合について説明したが、風量、風速が調整できれば、１台でも複数台でも実施可能なこと、カーテンは枠体の左右両側に設ける場合について説明したが、枠体の左右の何れか一方のみを開放し、この開放した側にのみカーテンを設けるようにしても実施できること、その他、本発明の要旨を逸脱しない範囲内において種々変更を加え得ることは勿論である。
【００５７】
【発明の効果】
以上、説明したように本発明の請求項１〜８に記載の無菌室ユニットによれば、下記の如き種々の優れた効果を奏し得る。
Ｉ）騒音源となるファンは患者の足もと側に設けてあるため、静かで患者は騒音が気にならず、安楽に無菌室内で治療に専念することができる。
ＩＩ）空気吹出しダクトの空気吹出し口から吹出された空気の患者の顔面への到達流速は遅くなるため、患者に不快感を与える虞がない。
ＩＩＩ）各フィルタの使用できる期間が長くなり、従って、フィルタ類の交換頻度が減少してコストダウンを図ることができる。
ＩＶ）カーテンを開閉する場合には、カーテンスイッチを設けておくことにより、自動的にファンの風量、風速を調整できるため、カーテンを開けても外気が入る可能性が少なく、従って装置の無菌性能に対する信頼度が向上する。
Ｖ）無菌室のスペースを広く取ることにより、無菌室の内部に治療スペースを確保できるうえ患者に安心感を与えることができる。
ＶＩ）患者がナースに連絡を取る場合には、無菌室内からメディカルコンソールを利用することができる。
ＶＩＩ）患者の足もと側の幅方向両側に柱がないため、ベッドの出し入れがやり易く視界が良好である。
【図面の簡単な説明】
【図１】本発明の無菌室ユニットの実施の形態を示す一例の全体斜視図である。
【図２】図１のＩＩ−ＩＩ方向矢視図である。
【図３】２台のファンを切換え運転する場合の電気回路図である。
【図４】従来の無菌室ユニットの一例を示す斜視図である。
【符号の説明】
１  枠体
２  側板（枠体）
３  パネル（枠体）
４  パネル（枠体）
５  ボックス（空気流通路）
６  天板
７  ボックス（空気流通路）
８  ダクト（空気流通路）
９  開口
１０  プレフィルタ（空気清浄化装置）
１１  光触媒フィルタ（空気清浄化装置）
１２  触媒励起用ランプ（空気清浄化装置）（殺菌手段）
１３  中性能フィルタ（空気清浄化装置）（殺菌手段）
１４  ファン
１５  ＨＥＰＡフィルタ（空気清浄化装置）
１６  ファンユニット
１７  空気流通孔
１８  空気吹出し口
１９  空気吹出しダクト
２０  カーテン
２１  無菌室
２２  照明
２３  パネル
２４  ベッド
２５  メディカルコンソール
２６  壁
３１  カーテンスイッチ
【図１】
0003847142.tif 000002
【図２】
0003847142.tif 000003
【図３】
0003847142.tif 000004
【図４】
0003847142.tif 000005